(57)【要約】【課題】バランス健診に役立つ視認性の高い解析結果を得る。【解決手段】被検者が乗るフォースプレートと、フォースプレート上に作用する複数箇所の荷重を計測する荷重計測手段とを備える重心動揺計であって、荷重計測手段により計測された荷重データに基づいて、被検者の開眼・閉眼での重心位置、重心動揺軌跡を囲む外周面積及び左右方向の重心動揺平均変位を算出する演算手段と、その演算手段により算出された重心位置、重心動揺軌跡を囲む外周面積及び左右方向の重心動揺平均変位を出力する出力手段（表示手段、印刷手段）とを備える。被検者の開眼・閉眼での重心位置、重心動揺軌跡を囲む外周面積及び左右方向の重心動揺平均変位を出力することで、重心動揺軌跡を囲む外周面積からふらつきの大きさの検査結果と、左右方向の重心動揺平均変位から重心の揺れの中心が右あるいは左へ偏っていないかの検査結果とを視覚的に確認できる。【選択図】図３
2005152215.tif 000002
【特許請求の範囲】
【請求項１】
被検者が乗るフォースプレートと、
フォースプレート上に作用する複数箇所の荷重を計測する荷重計測手段と、
荷重計測手段により計測された荷重データに基づいて、被検者の開眼・閉眼での重心位置、重心動揺軌跡を囲む外周面積及び左右方向の重心動揺平均変位を算出する演算手段とを備えることを特徴とする重心動揺計。
【請求項２】
前記演算手段により算出された重心位置、重心動揺軌跡を囲む外周面積及び左右方向の重心動揺平均変位を出力する出力手段を備えることを特徴とする請求項１に記載の重心動揺計。
【請求項３】
前記出力手段は、被検者の年齢に対応した平均値及び標準偏差も出力することを特徴とする請求項２に記載の重心動揺計。
【請求項４】
前記出力手段は、重心動揺軌跡を囲む外周面積及び左右方向の重心動揺平均変位について、被検者の年齢に対応した平均値及び標準偏差をグラフ表現処理するとともに、前記演算出段による算出値をグラフ上にプロットして出力することを特徴とする請求項３に記載の重心動揺計。
【請求項５】
前記出力手段は、重心動揺軌跡も出力することを特徴とする請求項２から４のいずれか一項に記載の重心動揺計。
【請求項６】
前記演算手段は、前後方向の重心動揺平均変位も算出し、
前記出力手段は、左右方向及び前後方向の重心動揺平均変位について、被検者の年齢に対応した平均値を原点とする直交座標上に、標準偏差を矩形描画して、前記演算出段による算出値をプロットして出力することを特徴とする請求項４に記載の重心動揺計。
【請求項７】
被検者が乗るフォースプレートと、
フォースプレート上に作用する複数箇所の荷重を計測する荷重計測手段と、
荷重計測手段により計測された荷重データに基づいて、被検者の重心位置、重心動揺軌跡を囲む外周面積及び重心動揺軌跡の長さを算出する演算手段とを備えることを特徴とする重心動揺計。
【請求項８】
前記演算手段により算出された重心位置と、重心動揺軌跡を囲む外周面積もしくは重心動揺軌跡の長さの少なくとも一方を出力する出力手段を備えることを特徴とする請求項７に記載の重心動揺計。
【請求項９】
被検者が乗るフォースプレートと、
フォースプレート上に作用する複数箇所の荷重を計測する荷重計測手段と、
荷重計測手段により計測された荷重データに基づいて、被検者の重心位置、左右方向及び前後方向の重心動揺平均変位を算出する演算手段とを備えることを特徴とする重心動揺計。
【請求項１０】
前記演算手段により算出された重心位置と、左右方向もしくは前後方向の少なくとも一方の重心動揺平均変位を出力する出力手段を備えることを特徴とする請求項９に記載の重心動揺計。
【請求項１１】
前記出力手段は、被検者の開眼・閉眼での値を出力することを特徴とする請求項８または１０に記載の重心動揺計。
【請求項１２】
前記出力手段は、被検者の年齢に対応した平均値及び標準偏差も出力することを特徴とする請求項８、１０または１１のいずれか一項に記載の重心動揺計。
【請求項１３】
前記出力手段は、被検者の年齢に対応した平均値及び標準偏差をグラフ表現処理するとともに、前記演算出段による算出値をグラフ上にプロットして出力することを特徴とする請求項１２に記載の重心動揺計。
【発明の詳細な説明】
【技術分野】
【０００１】
本発明は、バランス健診に役立つ重心動揺計に関する。
【背景技術】
【０００２】
理想の重心動揺軌跡と実測の重心動揺軌跡とを比較表示したり、重心の前後移動範囲を表示したりしてバランス能力を分析・評価する技術がある（例えば特許文献１及び特許文献２参照）。
【特許文献１】特開２００２−１３６６３２号公報
【特許文献２】特開２００３−７９５９９号公報
【発明の開示】
【発明が解決しようとする課題】
【０００３】
しかし、理想の重心動揺軌跡と実測の重心動揺軌跡との比較表示や、重心の前後移動範囲の表示だけでは、バランス能力の分析・評価としては不十分であった。
即ち、健康を増進し、疾病の発病を予防する一次予防政策の一環として、身体平衡の面からの健康状態の把握、めまい平衡障害を症状とする疾患早期発見を目的とするバランス健診の分野においては、視認性の高い解析結果の実現が要望される。
【０００４】
本発明の課題は、バランス健診に役立つ視認性の高い解析結果を得ることである。
【課題を解決するための手段】
【０００５】
以上の課題を解決するため、請求項１に記載の発明は、例えば図１に示すように、被検者が乗るフォースプレート１と、フォースプレート上に作用する複数箇所の荷重を計測する荷重計測手段２と、荷重計測手段により計測された荷重データに基づいて、被検者の開眼・閉眼での重心位置、重心動揺軌跡を囲む外周面積及び左右方向の重心動揺平均変位を算出する演算手段１２とを備える重心動揺計を特徴とする。
【０００６】
このように、被検者の開眼・閉眼での重心位置、重心動揺軌跡を囲む外周面積及び左右方向の重心動揺平均変位を求めることで、重心動揺軌跡を囲む外周面積からふらつきの大きさの検査が可能となり、左右方向の重心動揺平均変位から重心の揺れの中心が右あるいは左へ偏っていないかの検査が可能となる。
【０００７】
請求項２に記載の発明は、請求項１に記載の重心動揺計であって、例えば図１に示すように、前記演算手段１２により算出された重心位置、重心動揺軌跡を囲む外周面積及び左右方向の重心動揺平均変位を出力する出力手段（表示手段１７、印刷手段１８）を備えることを特徴とする。
【０００８】
このように、被検者の開眼・閉眼での重心位置、重心動揺軌跡を囲む外周面積及び左右方向の重心動揺平均変位を出力することで、重心動揺軌跡を囲む外周面積からふらつきの大きさの検査結果と、左右方向の重心動揺平均変位から重心の揺れの中心が右あるいは左へ偏っていないかの検査結果とを視覚的に確認できる。
【０００９】
請求項３に記載の発明は、請求項２に記載の重心動揺計であって、例えば図２から図４に示すように、前記出力手段（表示手段１７、印刷手段１８）は、被検者の年齢に対応した平均値及び標準偏差（ＳＤ）も出力することを特徴とする。
【００１０】
このように、被検者の年齢に対応した平均値及び標準偏差も出力することで、身体平衡検査に重要な立ち直り反射検査と左右偏倚検査の結果を、年齢平均値及び標準偏差と対比できる。
【００１１】
請求項４に記載の発明は、請求項３に記載の重心動揺計であって、例えば図２から図４に示すように、前記出力手段（表示手段１７、印刷手段１８）は、重心動揺軌跡を囲む外周面積及び左右方向の重心動揺平均変位について、被検者の年齢に対応した平均値及び標準偏差（ＳＤ）をグラフ表現処理するとともに、前記演算出段１２による算出値をグラフ上にプロットして出力することを特徴とする。
【００１２】
このように、年齢平均値及び標準偏差を表現処理したグラフ上に、重心動揺軌跡を囲む外周面積及び左右方向の重心動揺平均変位をプロットすることで、身体平衡検査に重要な立ち直り反射検査と左右偏倚検査の結果を、グラフ上において年齢平均値及び標準偏差と対比できる。
【００１３】
請求項５に記載の発明は、請求項２から４のいずれか一項に記載の重心動揺計であって、前記出力手段（表示手段１７、印刷手段１８）は、例えば図２に示すように、重心動揺軌跡も出力することを特徴とする。
【００１４】
このように、重心動揺軌跡も出力することで、視覚的に動揺型も判定できる。
【００１５】
請求項６に記載の発明は、請求項４に記載の重心動揺計であって、前記演算手段１２は、前後方向の重心動揺平均変位も算出し、前記出力手段（表示手段１７、印刷手段１８）は、例えば図５から図７に示すように、左右方向及び前後方向の重心動揺平均変位について、被検者の年齢に対応した平均値を原点とする直交座標上に、標準偏差（ＳＤ）を矩形描画して、前記演算出段による算出値をプロットして出力することを特徴とする。
【００１６】
このように、年齢平均値を原点とする直交座標上に、標準偏差を矩形描画して、左右方向及び前後方向の重心動揺平均変位をプロットすることで、左右方向及び前後方向の重心動揺平均変位を、年齢平均値を原点とする直交座標上において描画された標準偏差の矩形を基準として対比できる。
【００１７】
請求項７に記載の発明は、被検者が乗るフォースプレートと、フォースプレート上に作用する複数箇所の荷重を計測する荷重計測手段と、荷重計測手段により計測された荷重データに基づいて、被検者の重心位置、重心動揺軌跡を囲む外周面積及び重心動揺軌跡の長さを算出する演算手段とを備える重心動揺計を特徴とする。
【００１８】
このように、被検者の重心位置、重心動揺軌跡を囲む外周面積及び重心動揺軌跡の長さを求めることで、ふらつきの大きさの検査が可能となる。
【００１９】
請求項８に記載の発明は、請求項７に記載の重心動揺計であって、前記演算手段により算出された重心位置と、重心動揺軌跡を囲む外周面積もしくは重心動揺軌跡の長さの少なくとも一方を出力する出力手段を備えることを特徴とする。
【００２０】
このように、被検者の重心位置と、重心動揺軌跡を囲む外周面積もしくは重心動揺軌跡の長さの少なくとも一方を出力することで、ふらつきの大きさの検査結果を視覚的に確認できる。
【００２１】
請求項９に記載の発明は、被検者が乗るフォースプレートと、フォースプレート上に作用する複数箇所の荷重を計測する荷重計測手段と、荷重計測手段により計測された荷重データに基づいて、被検者の重心位置、左右方向及び前後方向の重心動揺平均変位を算出する演算手段とを備える重心動揺計を特徴とする。
【００２２】
このように、被検者の重心位置、左右方向及び前後方向の重心動揺平均変位を求めることで、重心の揺れの中心が前後あるいは左右へ偏っていないかの検査が可能となる。
【００２３】
請求項１０に記載の発明は、請求項９に記載の重心動揺計であって、前記演算手段により算出された重心位置と、左右方向もしくは前後方向の少なくとも一方の重心動揺平均変位を出力する出力手段を備えることを特徴とする。
【００２４】
このように、被検者の重心位置と、左右方向もしくは前後方向の少なくとも一方の重心動揺平均変位を出力することで、重心の揺れの中心が前後あるいは左右へ偏っていないかの検査結果を視覚的に確認できる。
【００２５】
請求項１１に記載の発明は、請求項８または１０に記載の重心動揺計であって、前記出力手段は、被検者の開眼・閉眼での値を出力することを特徴とする。
【００２６】
このように、被検者の開眼・閉眼での値を出力することで、開眼値と閉眼値の検査結果が得られる。
【００２７】
請求項１２に記載の発明は、請求項８、１０または１１のいずれか一項に記載の重心動揺計であって、前記出力手段は、被検者の年齢に対応した平均値及び標準偏差も出力することを特徴とする。
【００２８】
このように、被検者の年齢に対応した平均値及び標準偏差も出力することで、身体平衡検査に重要な立ち直り反射検査や偏倚検査の結果を、年齢平均値及び標準偏差と対比できる。
【００２９】
請求項１３に記載の発明は、請求項１２に記載の重心動揺計であって、前記出力手段は、被検者の年齢に対応した平均値及び標準偏差をグラフ表現処理するとともに、前記演算出段による算出値をグラフ上にプロットして出力することを特徴とする。
【００３０】
このように、年齢平均値及び標準偏差を表現処理したグラフ上に、重心動揺軌跡を囲む外周面積や重心動揺軌跡の長さや重心動揺平均変位をプロットすることで、身体平衡検査に重要な立ち直り反射検査や偏倚検査の結果を、グラフ上において年齢平均値及び標準偏差と対比できる。
【発明の効果】
【００３１】
請求項１に記載の発明によれば、重心動揺軌跡を囲む外周面積からふらつきの大きさの検査が可能になり、左右方向の重心動揺平均変位から重心の揺れの中心が右あるいは左へ偏っていないかの検査が可能になるので、身体平衡検査に重要な立ち直り反射検査と偏倚検査に基づくバランス健診が可能となる。
【００３２】
請求項２に記載の発明によれば、重心動揺軌跡を囲む外周面積からふらつきの大きさの検査結果と、左右方向の重心動揺平均変位から重心の揺れの中心が右あるいは左へ偏っていないかの検査結果とを視覚的に確認できるので、身体平衡検査に重要な立ち直り反射検査と左右偏倚検査に基づいてバランス健診できる。
【００３３】
請求項３に記載の発明によれば、身体平衡検査に重要な立ち直り反射検査と左右偏倚検査の結果を、被検者の年齢平均値及び標準偏差と対比できるので、バランス健診結果を視認性良く解析できる。
【００３４】
請求項４に記載の発明によれば、身体平衡検査に重要な立ち直り反射検査と左右偏倚検査の結果を、グラフ上において年齢平均値及び標準偏差と対比できるので、グラフを見るだけでバランス健診結果を容易に解析できる。
【００３５】
請求項５に記載の発明によれば、請求項２から４のいずれかに記載の発明により得られる効果に加え、重心動揺軌跡から視覚的に動揺型も判定できるので、動揺型からもバランス機能状態を解析できるといった利点が得られる。
【００３６】
請求項６に記載の発明によれば、左右方向及び前後方向の重心動揺平均変位を、年齢平均値を原点とする直交座標上において描画された標準偏差の矩形を基準として対比できるので、直交座標で表されたグラフを見るだけで前後左右偏倚検査の結果からバランス状態の安定・不安定を容易に判定できる。
【００３７】
請求項７に記載の発明によれば、重心動揺軌跡を囲む外周面積及び重心動揺軌跡の長さからふらつきの大きさの検査が可能になるので、身体平衡検査に重要な立ち直り反射検査に基づくバランス健診が可能となる。
【００３８】
請求項８に記載の発明によれば、重心動揺軌跡を囲む外周面積もしくは重心動揺軌跡の長さの少なくとも一方からふらつきの大きさの検査結果を視覚的に確認できるので、身体平衡検査に重要な立ち直り反射検査に基づいてバランス健診できる。
【００３９】
請求項９に記載の発明によれば、左右方向及び前後方向の重心動揺平均変位から重心の揺れの中心が前後あるいは左右へ偏っていないかの検査が可能になるので、身体平衡検査に重要な偏倚検査に基づくバランス健診が可能となる。
【００４０】
請求項１０に記載の発明によれば、左右方向もしくは前後方向の少なくとも一方の重心動揺平均変位から重心の揺れの中心が前後あるいは左右へ偏っていないかの検査結果を視覚的に確認できるので、身体平衡検査に重要な偏倚検査に基づいてバランス健診できる。
【００４１】
請求項１１に記載の発明によれば、開眼値と閉眼値の検査結果が得られるので、身体平衡検査に重要な開眼・閉眼での立ち直り反射検査や偏倚検査に基づいてバランス健診できる。
【００４２】
請求項１２に記載の発明によれば、身体平衡検査に重要な立ち直り反射検査や偏倚検査の結果を、年齢平均値及び標準偏差と対比できるので、バランス健診結果を視認性良く解析できる。
【００４３】
請求項１３に記載の発明によれば、身体平衡検査に重要な立ち直り反射検査や偏倚検査の結果を、グラフ上において年齢平均値及び標準偏差と対比できるので、グラフを見るだけでバランス健診結果を容易に解析できる。
【発明を実施するための最良の形態】
【００４４】
以下、図を参照して本発明を実施するための最良の形態を詳細に説明する。
本発明を適用した一実施形態としての重心動揺計の概略を示したブロック構成図で、１はフォースプレート（検査台）、１０はコンピュータシステム、１２は演算処理装置（演算手段）、１７は表示手段（出力手段）、１８は印刷手段（出力手段）である。
この実施形態において、重心動揺計に用いるフォースプレート１は、被検者の両足が乗る略四角形状のもので、その四隅部にロードセル（荷重計測手段）２が配置されている。ロードセル２は、フォースプレート１上に作用する垂直方向（Ｚ軸方向）の荷重を測定できる周知のものであり、それぞれの配置位置に加わる荷重情報が連続的に検出されるとともに、その検出した荷重情報がコンピュータシステム１０に逐次入力される。即ち、ロードセル２からの荷重情報の検出信号は、コンピュータシステム１０の入出力インターフェース１１に入力される。
【００４５】
コンピュータシステム１０は、周知のように、ＣＰＵ、ＲＡＭ、ＲＯＭ等から構成される演算処理装置１２と、キーボードや操作盤等の入力手段１５と、ハードディスクドライブやフロッピー（登録商標）ディスクドライブ、コンパクトディスクドライブ等の補助記憶手段１６と、演算処理装置１２のデータ解析手段１３による解析データ等の出力手段としてのＬＣＤやＣＲＴディスプレイ等の表示手段１７と印刷装置１８を備えている。
ここで、演算処理装置１２は、データ解析手段１３としての機能を具備する。即ち、演算処理装置１２において、フォースプレート１に被検者が乗った状態で各ロードセル２にて計測された荷重データに基づいてデータ解析手段１３により重心位置が求められる。その求められた重心位置は、表示手段１７に画像として出力されるとともに、印刷手段１８によりプリントして出力される。図中、１９は警報手段である。
【００４６】
以上の重心動揺計において、データ解析手段１３による解析項目は以下のように多項目ある。
「解析項目」
１．重心動揺軌跡
２．総軌跡長（ＬＮＧ．）
３．単位軌跡長（ＬＮＧ／ＴＩＭＥ）
４．単位面積軌跡長（ＬＮＧ／Ｅ．ＡＲＥＡ）
５．外周面積（ＥＮＶ．ＡＲＥＡ）
６．矩形面積（ＲＥＣ．ＡＲＥＡ）
７．実効値面積（ＲＭＳ．ＡＲＥＡ）
８．動揺平均中心変位（ＤＥＶ  ＯＦ  Ｍｘ，Ｍｙ）
９．動揺中心変位（ＤＥＶ  ＯＦ  Ｘｏ，Ｙｏ）
１０．ロンベルグ率（項目２−７の閉眼値／開眼値）
１１．パワースペクトル
１２．位置ベクトル
１３．速度ベクトル
１４．振幅確率密度分布
１５．グラビチャート（ＥＶＡＬＵＡＴＩＯＮ；健常値との比較評価グラフ）
【００４７】
以上の解析項目において、実施形態では、バランス健診特定パラメータとして、
１．重心動揺軌跡を囲む外周面積
２．左右方向の重心動揺平均変位
３．パラメータ１．２．の開眼・閉眼解析
より、基準値グラフとして表現する。
そして、データ解析手段１３による解析結果データとして、
１．外周面積値
２．左右方向の重心動揺平均変位値
３．データ１．２．の開眼・閉眼解析値
をグラフ上にプロットする。
さらに、重心動揺図（開眼・閉眼の重心動揺軌跡）も併せて出力する。
ここで、本発明の重心動揺計は、例えば病院、健診施設、健康増進施設などでバランス健診、自己確認などに使用される。
【００４８】
「測定方法」
検査台（フォースプレート１）上の所定の位置に、被検者に両足を揃えて楽な姿勢で直立してもらい、開眼６０秒間、次いで閉眼６０秒間身体の揺れを記録する。
開眼の記録は、目の高さに設定した眼前約２ｍの指標を注視させて行い、台に立つことによる一過性のふらつきが収まってから記録を開始する。
閉眼の記録は、頭位を正しく保つため、指標を注視した状態からそのままの頭位で目を閉じてもらい、閉眼による身体のふらつきが収まってから開始する。
検査が終了すると、結果が表示手段１７に画像として表示されるとともに、結果を記入した記録紙が印刷手段１８から出力される。記録紙には、開眼・閉眼の動揺記録図とともに、外周面積・左右変位の測定値が、それぞれ健常者の開閉眼・男女別の年齢−基準値（平均と標準偏差）グラフの中に記入されている。
【００４９】
「検査結果例」
バランス健診
ＩＤ      ００１
性別      男性
年齢      ２５歳
外周面積
開眼  ４．６１ｃｍ２ 
閉眼  ５．２６ｃｍ２ 
Ｘ方向動揺平均中心変位
開眼  ４．６１ｃｍ
閉眼  ５．２６ｃｍ
【００５０】
図２は重心動揺図（重心動揺軌跡）を例示したもので、図２（ａ）は開眼での重心動揺図、図２（ｂ）は閉眼での重心動揺図である。
重心動揺図では、重心動揺の揺れの全体像が観察できる。即ち、動揺軌跡の型や方向性、密集度といった実際の動揺状態を把握でき、主として揺れの型を検査する。揺れの型により、直立を安定に維持するための前庭迷路系、体制感覚系など各系の平衡調節機能を観察できる。
実施形態では、重心動揺図から動揺型を判定する。動揺の型には、円形で揺れが中心に集まる求心型、揺れが拡がり中心に集まる傾向が少ないびまん型、左右への揺れが目立つ左右動揺型、左右に拡がる左右拡大型、前後への揺れが目立つ前後動揺型、前後に拡がる前後拡大型などがある。
従って、視覚的に動揺型を判定する。
【００５１】
図３は重心動揺軌跡の外周面積を例示したもので、図３（ａ）は開眼での外周面積を示したグラフ、図３（ｂ）は閉眼での外周面積を示したグラフである。
グラフは、横軸に年齢をとり、縦軸に解析パラメータ（面積）をとったもので、開眼、閉眼、男性、女性の別で表現される。図示のように、グラフ上には、各年齢毎の基準値（平均値）、基準値±ＳＤ（標準偏差）、±２ＳＤが表記されていて、測定結果をプロット表記する。
重心動揺軌跡の外周面積では、ふらつきの大きさ（面積）を検査する。即ち、視性・迷路性立ち直り反射を中心に平衡維持能力を全体的に検査する。
従って、重心動揺軌跡の外周面積から被検者の年齢における評価が一目瞭然で把握でき、即ち、何歳相当の結果であるかを即座に判定できる。
【００５２】
図４は左右方向重心動揺平均変位を例示したもので、開眼での左右方向重心動揺平均変位を示したグラフ（ａ）、閉眼での左右方向重心動揺平均変位を示したグラフ（ｂ）である。
このグラフも、横軸に年齢をとり、縦軸に解析パラメータ（変位）をとったもので、開眼、閉眼、男性、女性の別で表現される。図示のように、グラフ上には、各年齢毎の基準値（平均値）、基準値±ＳＤ（標準偏差）、±２ＳＤが表記されていて、測定結果をプロット表記する。
左右方向重心動揺平均変位では、重心の揺れの中心が右あるいは左に片寄っていないかを検査する。即ち、全身の筋緊張の左右差によるバランスの偏り、偏倚現象を検査する。
従って、左右方向重心動揺平均変位からも被検者の年齢における評価が一目瞭然で把握でき、即ち、何歳相当の結果であるかを即座に判定できる。
【００５３】
以上、外周面積・左右変位の解析は、立ち直り反射検査と偏倚検査が身体平衡検査の核心であることによる。
そして、これら外周面積と左右変位の各々について次の判定を行う。
即ち、健常者の基準値（平均値）と較べ、開眼検査・閉眼検査の各々において、
１．平均値±２標準偏差の範囲内を「バランス安定（健常）」
２．平均値±２標準偏差を超える場合を「バランス不安定（異常）」
と判定する。
こうして４つの判定が得られ、１つでも不安定があれば、検査結果は異常と判定する。
なお、各解析結果については個別表記でも組み合わせ表記でも良い。
【００５４】
次に、前後左右方向重心動揺平均変位を直交座標上に表す場合について説明する。
図５は前後左右方向重心動揺平均変位を直交座標上に表して例示したもので、標準偏差の矩形と実測値を説明するグラフである。
グラフは、左右方向重心動揺平均変位の年齢別基準値（平均値）Ｍｘと前後方向重心動揺平均変位の年齢別基準値（平均値）Ｍｙの交点を座標原点にとり、その基準値（Ｍｘ，Ｍｙ）±１ＳＤの矩形を描画するとともに、基準値（Ｍｘ，Ｍｙ）±２ＳＤの矩形も描画する。
そして、計測値パラメータの動揺平均中心変位（ＤＥＶ  ＯＦ  Ｍｘ，Ｍｙ）をグラフ上にプロットする（実測値参照）。
【００５５】
図６は前後左右方向重心動揺平均変位を直交座標上に表して標準偏差の矩形と実測値をプロットした例１のグラフである。この場合、バランス安定（健常）と判定される。
図７は前後左右方向重心動揺平均変位を直交座標上に表して標準偏差の矩形と実測値をプロットした例２のグラフである。この場合、バランス不安定（異常）と判定される。
このように、直交座標で表されたグラフを見るだけで前後左右偏倚検査の結果からバランス状態の安定・不安定を容易に判定できる。
以上の通り、視覚視認性に加え、より科学的に数値で表現することにより、状態・程度を絶対値的に把握できる。
【００５６】
なお、以上の実施形態においては、略四角形状のフォースプレート１としたが、フォースプレートはこれに限定されるものではなく、略三角形状やその他の形状であっても良い。さらに、上面に分布形状計測シート（分布形状計測手段）や圧力分布計測シート（分布圧力計測手段）を貼り付けたフォースプレートを用いても良い。
【００５７】
（他の実施形態）
以上、バランスの評価判定について説明したが、障害の可能性の判定も同様に行えることは勿論である。
また、以下のパラメータの単独または組み合わせからバランスの評価判定・障害の可能性判定を行っても良い。
【００５８】
例えばパラメータとして、
１．重心動揺軌跡を囲む外周面積
もしくは、
２．重心動揺軌跡の長さ（総軌跡長、単位軌跡長、単位面積軌跡長）
もしくは、
３．パラメータ１．外周面積と２．長さの両方
４．さらに、パラメータ１．２．３．の各々の開眼・閉眼解析
により、基準値グラフとして表現する。
そして、データ解析手段１３による解析結果データとして、
１．外周面積値
もしくは、
２．重心動揺軌跡長（総軌跡長、単位軌跡長、単位面積軌跡長）
もしくは、
３．データ１．２．の両方
４．さらに、データ１．２．３．の各々の開眼・閉眼解析値
をグラフ上にプロットする。
【００５９】
また、例えばパラメータとして、
１．左右方向重心動揺平均変位
もしくは、
２．前後方向重心動揺平均変位
もしくは、
３．パラメータ１．２．の両方
４．さらに、パラメータ１．２．３．の各々の開眼・閉眼解析
により、基準値グラフとして表現する。
そして、データ解析手段１３による解析結果データとして、
１．左右方向重心動揺平均変位値
もしくは、
２．前後方向重心動揺平均変位値
もしくは、
３．データ１．２．の両方
４．さらに、データ１．２．３．の各々の開眼・閉眼解析値
をグラフ上にプロットする。
【００６０】
図８は開眼での外周面積を横軸にして閉眼での外周面積を縦軸にした直交座標上に実測値をプロットしたグラフである。
このように、外周面積について、開眼を横軸にして閉眼を縦軸にした直交座標上に実測値をプロットすれば、実測結果がどの象限にあるか、どのＳＤ域にあるか等により、バランスの評価・障害の可能性を判別できる表示表現としても良い。例えば閉眼では「不安定」でも開眼では「安定」の場合は、内耳前庭三半規管系、あるいは脊椎固有反射系の障害の可能性が大きく、開眼・閉眼ともに「不安定」の場合は、中枢神経系の障害の可能性がある。
この他のパラメータについて、同一パラメータの開眼データと閉眼データからバランスの評価判定・障害の可能性判定を行っても良い。
【００６１】
図９は外周面積を横軸にして左右方向重心動揺平均変位を縦軸にした直交座標上に実測値をプロットしたグラフである。
このように、外周面積を横軸にして左右方向重心動揺平均変位を縦軸にした直交座標上に実測値をプロットすれば、実測結果がどの象限にあるか、どのＳＤ域にあるか等により、バランスの評価・障害の可能性を判別できる表示表現としても良い。
この他のパラメータについて、異なるパラメータでの一括的表現からバランスの評価判定・障害の可能性判定を行っても良い。
【００６２】
図１０は被検者の年齢における基準値と標準偏差を線上に表して実測値をプロットしたグラフである。
このように、種々あるいは任意のパラメータについて、年齢基準値及び標準偏差が表記された線上に実測値をプロットすることで、年齢基準値及び標準偏差に対しどの位置にあるか一目瞭然となる。
以上の通り、種々のグラフ表現が可能であり、そのグラフ表現に基づきバランスの評価判定・障害の可能性判定が行える。
【図面の簡単な説明】
【００６３】
【図１】本発明を適用した一実施形態の構成を示すもので、重心動揺計の概略を示したブロック構成図である。
【図２】重心動揺図（重心動揺軌跡）を例示したもので、開眼での重心動揺図（ａ）、閉眼での重心動揺図（ｂ）である。
【図３】重心動揺軌跡の外周面積を例示したもので、開眼での外周面積を示したグラフ（ａ）、閉眼での外周面積を示したグラフ（ｂ）である。
【図４】左右方向重心動揺平均変位を例示したもので、開眼での左右方向重心動揺平均変位を示したグラフ（ａ）、閉眼での左右方向重心動揺平均変位を示したグラフ（ｂ）である。
【図５】前後左右方向重心動揺平均変位を直交座標上に表して例示したもので、標準偏差の矩形と実測値を説明するグラフである。
【図６】前後左右方向重心動揺平均変位を直交座標上に表して標準偏差の矩形と実測値をプロットした例１のグラフである。
【図７】前後左右方向重心動揺平均変位を直交座標上に表して標準偏差の矩形と実測値をプロットした例２のグラフである。
【図８】開眼での外周面積を横軸にして閉眼での外周面積を縦軸にした直交座標上に実測値をプロットしたグラフである。
【図９】外周面積を横軸にして左右方向重心動揺平均変位を縦軸にした直交座標上に実測値をプロットしたグラフである。
【図１０】被検者の年齢における基準値と標準偏差を線上に表して実測値をプロットしたグラフである。
【符号の説明】
【００６４】
１  フォースプレート
２  荷重計測手段
１０  コンピュータシステム
１２  演算処理装置（演算手段）
１３  データ解析手段
１５  入力手段
１６  補助記憶手段
１７  表示手段（出力手段）
１８  印刷手段（出力手段）
【図１】
2005152215.tif 000003
【図２】
2005152215.tif 000004
【図３】
2005152215.tif 000005
【図４】
2005152215.tif 000006
【図５】
2005152215.tif 000007
【図６】
2005152215.tif 000008
【図７】
2005152215.tif 000009
【図８】
2005152215.tif 000010
【図９】
2005152215.tif 000011
【図１０】
2005152215.tif 000012